(57)【要約】【課題】  編集に用いる２つの画像データを容易に特定する。【解決手段】  ＭＦＰは、画像データを入力する画像データ入力部１０と、用紙に画像を形成する画像形成部と、入力されたオリジナル画像データを画像形成部に画像形成させるオリジナル画像データ入力部１１と、オリジナル画像データ５１と画像形成されたことを示す履歴データ５２とを記憶する記憶部１０２と、履歴データ５２に基づいて、記憶部１０２に記憶されたオリジナル画像データを特定する画像データ指定部１４と、用紙に形成された画像を読み取る差替画像データ入力部１２から差替画像データが出力されると、オリジナル画像データを差替画像データを用いて編集する編集部２２とを備える。【選択図】        図３
2007036406.tif 000002
【特許請求の範囲】
【請求項１】
画像データを入力する入力手段と、
与えられた画像データに基づいて、記録媒体に画像を形成する画像形成手段と、
前記入力手段に入力された第１の画像データを前記画像形成手段に画像形成させる制御手段と、
前記第１の画像データと画像形成されたことを示す履歴データとを記憶する記憶手段と、
前記履歴データに基づいて、前記記憶手段に記憶された画像データのうちから第１の画像データを特定する特定手段と、
前記入力手段は、記録媒体に形成された画像を読み取り、画像データを出力する読取手段を含み、
前記読取手段から第２の画像データが出力されると、特定された前記第１の画像データを前記第２の画像データを用いて編集する編集手段とを備えた、画像形成装置。
【請求項２】
前記編集手段は、特定された前記第１の画像データの少なくとも一部を前記第２の画像データの少なくとも一部に置き換える置換手段を含む、請求項１に記載の画像形成装置。
【請求項３】
前記編集手段は、特定された前記第１の画像データの少なくとも一部と前記第２の画像データの少なくとも一部との差分を、前記第１の画像データに付加する差分付加手段を含む、請求項１に記載の画像形成装置。
【請求項４】
前記編集手段は、特定された前記第１の画像データに前記第２の画像データの少なくとも一部を追加する追加手段を含む、請求項１に記載の画像形成装置。
【請求項５】
前記第２の画像データの少なくとも一部は、前記画像形成手段により前記第１の画像データに基づいて記録媒体に形成された画像を前記読取手段により読み取って得られる、請求項１に記載の画像形成装置。
【請求項６】
前記編集手段は、前記第２の画像データの少なくとも一部と、特定された前記第１の画像データの少なくとも一部とを比較する比較手段を含む、請求項１に記載の画像形成装置。
【請求項７】
画像データを入力する入力手段と、
与えられた画像データに基づいて、記録媒体に画像を形成する画像形成手段と、
前記入力手段に入力された第１の画像データに識別情報をページごとに付与する識別情報付加手段と、
前記第１の画像データと前記ページごとに付与された識別情報とを関連付けて記憶する記憶手段と、
前記第１の画像データの各ページと前記ページごとに付与された識別情報とを合成した識別情報付画像データを生成する合成手段と、
前記識別情報付画像データを前記画像形成手段に与える制御手段と、
前記入力手段は、記録媒体に形成された画像を読み取り画像データを出力する読取手段を含み、
前読取手段から出力される第２の画像データから識別情報を分離する識別情報分離手段と、
前記分離された識別情報に基づき、前記記憶手段に記憶された画像データのうちから前記第１の画像データを特定する画像データ特定手段と、
前記特定された第１の画像データの前記抽出された識別情報が付与されたページを、前記識別情報と分離された前記第２の画像データに置換える編集手段と、を備えた画像形成装置。
【請求項８】
前記制御手段は、前記第２の画像データが入力されることに応じて、前記編集手段により編集された後の前記第１の画像データを前記画像形成手段に与える、請求項１または７に記載の画像形成装置。
【請求項９】
ユーザを認証する認証手段をさらに備え、
前記記憶手段は、前記第１の画像データをユーザの認証情報と関連付けて記憶し、
前記制御手段は、前記認証手段により認証されたユーザの認証情報が、前記第１の画像データに関連付けられた認証情報と一致することを条件に、前記編集手段により編集された後の前記第１の画像データを前記画像形成手段に与える、請求項８に記載の画像形成装置。
【請求項１０】
前記記憶手段に記憶された前記第１の画像データを画像形成する指示が入力された場合、該第１の画像データが前記編集手段により編集されていないことを条件に警告する警告手段をさらに含む、請求項１または７に記載の画像形成装置。
【請求項１１】
コンピュータと画像形成装置とからなる編集システムであって、
前記コンピュータは、
第１の画像データと画像形成されたことを示す履歴データとを記憶する記憶手段と、
前記履歴データに基づいて、前記記憶手段に記憶された画像データのうちから第１の画像データを特定する特定手段と、
第２の画像データが入力されると、特定された前記第１の画像データを前記第２の画像データを用いて編集する編集手段とを備え、
前記画像形成装置は、
画像データを入力する入力手段と、
与えられた画像データに基づいて、記録媒体に画像を形成する画像形成手段と、
前記入力手段に前記コンピュータから入力された第１の画像データを前記画像形成手段に画像形成させる制御手段と、
前記入力手段は、記録媒体に形成された画像を読み取り画像データを出力する読取手段を含み、
前記読取手段から第２の画像データが出力されると、該第２の画像データを前記コンピュータに送信する送信手段とを備えた、画像編集システム。
【発明の詳細な説明】
【技術分野】
【０００１】
この発明は、画像編集装置に関し、特に、画像データを他の画像データで編集する画像編集装置に関する。
【背景技術】
【０００２】
過去に読み込ませた画像の一部を差し替えたり、新たな画像を挿入したりする画像処理システムが知られている。特開平８−３１７１５５号公報（特許文献１）には、文書をスキャナで読み取りファイリングする際に、ある文書がすでにファイリングされている文書Ａの更新文書Ｂである場合、上記文書Ｂと上記文書Ａとを比較して追加情報画像を抽出し、上記追加情報画像を上記文書Ａに階層的に追加するファイリング方法が記載されている。また、ファイリング文書Ｃをプリントする際に、選別符号をプリント上に印刷し、新しい情報が追加された上記選別符号付き文書Ｄをスキャナで読み取る際に、上記選別符号から元のファイリング文書Ｃを認識し、文書Ｄと文書Ｃを比較して追加情報画像を抽出して、追加情報画像を上記文書Ｃに階層的に追加するファイリング方法が記載されている。
【０００３】
しかしながら、特開平８−３１７１５５号公報に記載のファイリング方法では、既にファイリングされている文書Ａを特定するのが困難である。ファイリングされている文書の数が多くなるほど文書Ａの特定が困難になる。また、選別符号で元の文書Ｃを特定することができるが、文書が複数ページである場合には全てのページを比較しなければならない。
【特許文献１】特開平８−３１７１５５号公報
【発明の開示】
【発明が解決しようとする課題】
【０００４】
この発明は上述した問題点を解決するためになされたもので、この発明の目的の１つは、編集に用いる２つの画像データを容易に特定することができ、画像データを編集することが可能な画像形成装置を提供することである。
【０００５】
この発明の他の目的は、編集対象となる画像データが複数ページの場合であっても編集の対象となるページを容易に特定することができ、画像データを編集することが可能な画像形成装置を提供することである。
【０００６】
この発明のさらに他の目的は、編集に用いる２つの画像データを容易に特定することができ、画像データを編集することが可能な画像編集システムを提供することである。
【課題を解決するための手段】
【０００７】
上述した目的を達成するためにこの発明のある局面によれば、画像形成装置は、画像データを入力する入力手段と、与えられた画像データに基づいて、記録媒体に画像を形成する画像形成手段と、入力手段に入力された第１の画像データを画像形成手段に画像形成させる制御手段と、第１の画像データと画像形成されたことを示す履歴データとを記憶する記憶手段と、履歴データに基づいて、記憶手段に記憶された画像データのうちから第１の画像データを特定する特定手段と、入力手段は、記録媒体に形成された画像を読み取り、画像データを出力する読取手段を含み、前読取手段から第２の画像データが出力されると、特定された第１の画像データを第２の画像データを用いて編集する編集手段とを備える。
【０００８】
この発明に従えば、第１の画像データが画像形成されると、第１の画像データと画像形成したことを示す履歴データとが記憶される。そして、履歴データに基づいて、第１の画像データが特定され、原稿を読み取って第２の画像データが出力されると、第１の画像データが第２の画像データを用いて編集される。このため、履歴データから第１の画像データが特定されるので、編集の対象となる画像データを容易に特定することができる。また、原稿を読み取って第２の画像データが出力されると編集されるので、原稿を読み取らせる操作で編集に用いる画像データを特定することができる。その結果、編集に用いる２つの画像データを容易に特定することができ、画像データを編集することが可能な画像形成装置を提供することができる。
【０００９】
好ましくは、編集手段は、特定された第１の画像データの少なくとも一部を第２の画像データの少なくとも一部に置き換える置換手段を含む。
【００１０】
この発明に従えば、第１の画像データの少なくとも一部が第２の画像データの少なくとも一部に置き換えられるので、編集前の画像データの一部を、別の画像データにすることができる。
【００１１】
好ましくは、編集手段は、特定された第１の画像データの少なくとも一部と第２の画像データの少なくとも一部との差分を、第１の画像データに付加する差分付加手段を含む。
【００１２】
この発明に従えば、差分を元の画像データに付加するので、第１の画像データの画質が劣化するのを防止することができる。
【００１３】
好ましくは、編集手段は、特定された第１の画像データに第２の画像データの少なくとも一部を追加する追加手段を含む。
【００１４】
この発明に従えば、新たな画像データを追加することができる。
【００１５】
好ましくは、第２の画像データの少なくとも一部は、画像形成手段により第１の画像データに基づいて記録媒体に形成された画像を読取手段により読み取って得られる。
【００１６】
この発明に従えば、たとえば、第１の画像データに基づいて画像を形成した記録媒体に、押印またはサインなどしたものを読み取って第２の画像データが得られれば、第１の画像データを押印またはサイン付の画像データとすることができる。
【００１７】
好ましくは、編集手段は、第２の画像データの少なくとも一部と、特定された第１の画像データの少なくとも一部とを比較する比較手段を含む。
【００１８】
この発明に従えば、第２の画像データの少なくとも一部と、特定された第１の画像データの少なくとも一部とを比較するので、第１の画像データのうち編集対象となる部分を自動的に決定することができる。
【００１９】
この発明の他の局面によれば、画像形成装置は、画像データを入力する入力手段と、与えられた画像データに基づいて、記録媒体に画像を形成する画像形成手段と、入力手段に入力された第１の画像データに識別情報をページごとに付与する識別情報付加手段と、第１の画像データとページごとに付与された識別情報とを関連付けて記憶する記憶手段と、第１の画像データの各ページとページごとに付与された識別情報とを合成した識別情報付画像データを生成する合成手段と、識別情報付画像データを画像形成手段に与える制御手段と、入力手段は、記録媒体に形成された画像を読み取り画像データを出力する読取手段を含み、読取手段から出力される第２の画像データから識別情報を分離する識別情報分離手段と、分離された識別情報に基づき、記憶手段に記憶された画像データのうちから第１の画像データを特定する画像データ特定手段と、特定された第１の画像データの抽出された識別情報が付与されたページを、識別情報と分離された第２の画像データに置換える編集手段と、を備える。
【００２０】
この発明に従えば、第１の画像データの各ページを、ページごとに付与された識別情報と合成した識別情報付画像データが記録媒体に画像形成され、その記録媒体に形成された画像を読み取って得られる第２の画像データから識別情報が抽出されるので、原稿を読み取らせるだけで第１の画像データの差替えの対象となるページを抽出することができる。その結果、編集対象となる画像データが複数ページの場合であっても編集の対象となるページを容易に特定することができ、画像データを編集することが可能な画像形成装置を提供することができる。
【００２１】
好ましくは、制御手段は、第２の画像データが入力されることに応じて、編集手段により編集された後の第１の画像データを画像形成手段に与える。
【００２２】
好ましくは、ユーザを認証する認証手段をさらに備え、記憶手段は、第１の画像データをユーザの認証情報と関連付けて記憶し、制御手段は、認証手段により認証されたユーザの認証情報が、第１の画像データに関連付けられた認証情報と一致することを条件に、編集手段により編集された後の第１の画像データを画像形成手段に与える。
【００２３】
この発明に従えば、認証手段により認証されたユーザの認証情報が、第１の画像データに関連付けられた認証情報と一致することを条件に、編集された後の第１の画像データが画像形成されるので、第１の画像データが他人に勝手に画像形成されることがない。
【００２４】
好ましくは、記憶手段に記憶された第１の画像データを画像形成する指示が入力された場合、該第１の画像データが編集手段により編集されていないことを条件に警告する警告手段をさらに含む。
【００２５】
この発明に従えば、第１の画像データを後に編集することが前提とされている場合に、第１の画像データをプリントアウトする指示が入力された時点で警告するので、編集されていない第１の画像データが誤って出力されるのを防止することができる。
【００２６】
この発明のさらに他の局面によれば、画像編集システムは、コンピュータと画像形成装置とからなる画像編集システムであって、コンピュータは、第１の画像データと画像形成されたことを示す履歴データとを記憶する記憶手段と、履歴データに基づいて、記憶手段に記憶された画像データのうちから第１の画像データを特定する特定手段と、第２の画像データが入力されると、特定された第１の画像データを第２の画像データを用いて編集する編集手段とを備え、画像形成装置は、画像データを入力する入力手段と、与えられた画像データに基づいて、記録媒体に画像を形成する画像形成手段と、入力手段にコンピュータから入力された第１の画像データを画像形成手段に画像形成させる制御手段と、入力手段は、記録媒体に形成された画像を読み取り画像データを出力する読取手段を含み、読取手段から第２の画像データが出力されると、該第２の画像データをコンピュータに送信する送信手段とを備える。
【００２７】
この発明に従えば、編集に用いる２つの画像データを容易に特定することができ、画像データを編集することが可能な画像編集システムを提供することができる。
【発明を実施するための最良の形態】
【００２８】
以下、本発明の実施の形態について図面を参照して説明する。以下の説明では同一の部品には同一の符号を付してある。それらの名称および機能も同じである。したがってそれらについての詳細な説明は繰返さない。
【００２９】
＜第１の実施の形態＞
図１は、本発明の実施の形態の一つにおける画像編集システムの全体概要を示す図である。図１を参照して、画像編集システムは、ネットワーク３にそれぞれ接続されたＭＦＰ（Ｍｕｌｔｉ  Ｆｕｎｃｔｉｏｎ  Ｐｅｒｉｐｈｅｒａｌ）１と、パーソナルコンピュータ（以下「ＰＣ」という）２，２Ａ，２Ｂとを含む。ＰＣ２，２Ａ，２Ｂは、一般的なコンピュータであり、その構成および機能は周知であるのでここでは説明を繰り返さない。
【００３０】
なお、ここでは３台のＰＣ２，２Ａ，２Ｂがネットワーク３に接続される例を示しているが、台数を限定するものではない。ネットワーク３は、ローカルエリアネットワーク（ＬＡＮ）であり、接続形態は有線または無線を問わない。またネットワーク３は、ＬＡＮに限らず、インターネットなどのワイドエリアネットワーク（ＷＡＮ）、一般公衆回線を用いたネットワーク等であってもよい。
【００３１】
図２は、本実施の形態におけるＭＦＰの概略構成を示すブロック図である。図２を参照して、ＭＦＰ１は、制御部１００と、原稿を読取るための画像読取部１２０と、画像データに基づいて紙などの記録媒体に画像を形成するための画像形成部１３０とを含み、画像読取機能、複写機能、ファクシミリ送受信機能を備えている。
【００３２】
画像読取部１２０は、自動原稿搬送装置を有し、複数ページの原稿を連続して読み取ることができる。画像読取部１２０が出力する画像データは、複数ページの原稿を読み取って得られ、複数ページを含む。
【００３３】
制御部１００は、それぞれがバス１１１に接続されたＣＰＵ（Ｃｅｎｔｒａｌ  Ｐｒｏｃｅｓｓｉｎｇ  Ｕｎｉｔ）１０１と、記憶部１０２と、画像読取部１２０が出力する画像データを処理する入力画像処理部１０４と、画像データを画像形成部１３０に出力するのに適したデータに変換する処理を行う出力画像処理部１０５と、ネットワークインターフェイス（Ｉ／Ｆ）１０７と、モデム１０８と、操作パネル１０９と、カードＩ／Ｆ１１０とを含む。
【００３４】
ＣＰＵ１０１は、ＭＦＰ１の全体を制御する。記憶部１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＥＥＰＲＯＭ（Ｅｌｅｃｔｒｉｃａｌｌｙ  Ｅｒａｓａｂｌｅ/Ｐｒｏｇｒａｍａｂｌｅ  ＲＯＭ）などの半導体メモリおよびハードディスクドライブ（ＨＤＤ）等の磁気記憶装置を含む。
【００３５】
入力画像処理部１０４は、画像読取部１２０が出力する画像データが入力される。入力画像処理部１０４は、入力された画像データに対して、色補正処理、解像度変換処理などの画像処理を実行して、処理した画像データを記憶部１０２に記憶する。出力画像処理部１０５は、記憶部１０２から画像データを読み出して、色変換処理、スクリーン制御処理、スムージング処理、濃度補正処理、パルス幅変調（ＰＷＭ）などの画像処理を実行して、処理後の画像データを画像形成部１３０に出力する。
【００３６】
記憶部１０２には、ＣＰＵ１０１で実行するための画像編集プログラムが記憶されており、ＣＰＵ１０１は、記憶部１０２に記憶された画像編集プログラムを実行する。
【００３７】
カードＩ／Ｆ１１０には、ＩＣカード１１０Ａが装着される。ＣＰＵ１０１は、カードＩ／Ｆ１１０を介してＩＣカード１１０Ａにアクセスが可能である。ネットワークＩ／Ｆ１０７は、ＭＦＰ１をネットワーク３と接続する。ネットワークＩ／Ｆ１０７は、データを所定の通信プロトコルに従ってネットワーク３に出力し、ネットワーク３から所定の通信プロトコルに従ってデータを受信する。ＣＰＵ１０１は、ネットワークＩ／Ｆ１０７を介してネットワーク３に接続されたＰＣ２，２Ａ，２Ｂと通信することが可能となる。このため、ＭＦＰ１は、ＰＣ２，２Ａ，２Ｂとの間で画像データの送受信が可能である。
【００３８】
モデム１０８は、ＭＦＰ１を電話回線１１３と接続する。モデム１０８は、データをファクシミリの通信プロトコルに従ってファクシミリ通信を可能とする。モデム１０８は、ファクシミリ受信されたデータを記憶部１０２のＨＤＤに記憶する。また、モデム１０８は、電話回線１１３に接続されたコンピュータとの通信を可能とするためＮＣＵ（Ｎｅｔｗｏｒｋ  Ｃｏｎｔｒｏｌ  Ｕｎｉｔ）を含む。モデム１０８により他のコンピュータから受信された画像データは、記憶部１０２のＨＤＤに記憶される。
【００３９】
操作パネル１０９は、入力部１０９Ａと表示部１０９Ｂとを含む。入力部１０９Ａは、ＭＦＰ１のユーザによる操作の入力を受付けるためのタッチパネル、キーボードまたはマウス等の入力装置である。表示部１０９Ｂは、液晶表示装置または有機ＥＬ（Ｅｌｅｃｔｒｏ−Ｌｕｍｉｎｅｓｃｅｎｃｅ）ディスプレイパネルである。入力部１０９Ａに透明な部材からなるタッチパネルを用いる場合には、表示部１０９Ｂ上にタッチパネルを重ねて設置することで、表示部１０９Ｂに表示されたボタンの指示を検出することができる。これにより、種々の操作の入力が可能となる。
【００４０】
なお、ＣＰＵ１０１が実行する画像編集プログラムは、記憶部１０２のＲＯＭに記憶されたものに限られず、ＥＥＰＲＯＭに記憶するようにしてもよい。ＥＥＰＲＯＭに記憶するようにすれば、プログラムを書き換えるまたは追加して書き込みすることが可能となる。このため、ネットワーク３に接続された他のコンピュータが、ＭＦＰ１のＥＥＰＲＯＭに記憶されたプログラムを書換える、または、新たなプログラムを追加して書き込むことができる。さらに、ＭＦＰ１が、ネットワーク３に接続された他のコンピュータからプログラムをダウンロードして、そのプログラムをＥＥＰＲＯＭに記憶することができる。さらに、プログラムをＩＣカード１１０Ａに記憶するようにし、ＣＰＵ１０１がカードＩ／Ｆ１１０に装着されたＩＣカード１１０Ａに記録された画像編集プログラムをロードして実行するようにしてもよい。
【００４１】
ここでいうプログラムは、ＣＰＵ１０１により直接実行可能なプログラムだけでなく、ソースプログラム形式のプログラム、圧縮処理されたプログラム、暗号化されたプログラム等を含む。
【００４２】
なお、プログラムを記憶する記録媒体としては、ＩＣカード１１０Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等の固定的にプログラムを担持する媒体でもよい。
【００４３】
図３は、第１の実施の形態におけるＭＦＰのＣＰＵの機能を示す機能ブロック図である。図３を参照して、ＣＰＵ１０１は、入力画像処理部１０４から画像データが入力される画像データ入力部１０と、ユーザ認証するためのユーザ認証部１６と、画像データの指定を受付ける画像データ指定部１４と、ユーザに対して警告を出力する警告部１８と、画像データ入力部１０に入力された画像データと記憶部１０２に記憶されている画像データとを比較する比較部２０と、比較部２０による比較結果に基づいて、記憶部１０２に記憶されている画像データを編集する編集部２２とを含む。
【００４４】
ユーザ認証部１６は、操作パネル１０９に接続されており、操作パネルからユーザ情報が入力される。ユーザ情報は、ユーザ識別情報とパスワードとを含む。ＭＦＰ１には、ＭＦＰ１を使用するユーザが登録されており、登録されたユーザのユーザ情報が記憶部１０２に予め記憶されている。ユーザ認証部１６は、操作パネル１０９から入力されるユーザ情報を予め登録されたユーザ情報と比較し、一致すれば真のユーザとして認証する。
【００４５】
画像データ入力部１０は、画像読取部１２０で原稿を読み取って得られる画像データまたは、ネットワークＩ／Ｆ１０７を介してＰＣ２，２Ａ，２Ｂから受信された画像データが入力画像処理部１０４から入力される。画像データ入力部１０は、オリジナル画像データ入力部１１と、差替画像データ入力部１２とを含む。ユーザが画像読取部１２０から原稿を読み込ませる際、操作パネル１０９からユーザ情報と、オリジナル画像データまたは差替画像データの別を入力する。画像データがＰＣ２，２Ａ，２Ｂから受信される場合には、画像データとともにユーザ情報と、オリジナル画像データまたは差替画像データの別が受信される。
【００４６】
画像読取部１２０でオリジナル画像データとして原稿が読み取られた場合、または、ＰＣ２，２Ａ，２Ｂからオリジナル画像データが受信される場合、オリジナル画像データ入力部１１は、入力されたオリジナル画像データを記憶部１０２に記憶する。これにより、記憶部１０２には、オリジナル画像データ５１が記憶される。また、オリジナル画像データ入力部１１は、入力された画像データを出力画像処理部１０５に出力し、画像形成部１３０に画像形成させる。オリジナル画像データ入力部１１は、画像データを画像形成させるジョブの履歴データを生成して記憶部１０２に記憶する。これにより記憶部１０２に履歴データ５２が記憶される。
【００４７】
図４は、履歴データのフォーマットの一例を示す図である。図４を参照して、履歴データは、ジョブを識別するためのジョブ識別情報と、画像データを識別するための画像データ識別情報と、画像形成された日時を示す印刷日時と、記憶部１０２の位置を示すデータ保存アドレスと、ユーザ識別情報と、パスワードと、編集フラグとを含む。ジョブ識別情報は、ＭＦＰ１が付与するシリアルな番号である。画像データ識別情報は、画像データに付されたファイル名である。履歴データは、画像データと、ユーザ識別情報とを関連付けたデータである。編集フラグは、後述する画像編集処理の処理対象とされたか否かを示す情報であり、画像編集処理が実行された場合に「１」とされ、されていなければ「０」とされる。
【００４８】
図３に戻って、画像読取部１２０で差替画像データとして原稿が読み取られた場合、またはＰＣ２，２Ａ，２Ｂから差替画像データが受信された場合には、差替画像データ入力部１２は、入力された画像データを差替画像データとして比較部２０に出力する。差替画像データは、オリジナル画像データに基づいて画像形成された用紙を含む原稿を、画像読取部１２０で読取って得られる画像データである。たとえば、差替画像データは、オリジナル画像データに基づいて画像形成された用紙に押印、サイン、または手書きで書き込みされた用紙を画像読取部１２０で読取って得られる画像データである。
【００４９】
画像データ指定部１４は、操作パネル１０９に接続されており、画像読取部１２０で差替画像データが読み取られると、オリジナル画像データを特定するための画像データ指定画面を操作パネル１０９に表示させ、ユーザにオリジナル画像データの指定を促す。画像データ指定部１４は、記憶部１０２に記憶されている履歴データ５２を読み出し、履歴データ５２に含まれる画像データ識別情報を一覧表示する画像データ指定画面を表示する。ユーザは、表示された画像データ指定画面に一覧表示された画像データ識別情報のうちからいずれか１つを指定することにより、オリジナル画像データ５１を指定することが可能となる。
【００５０】
画像データ指定部１４は、ユーザ認証部１６により認証されたユーザのユーザ識別情報と、ユーザにより指定されたオリジナル画像データ５１と履歴データによって関連付けられたユーザ識別情報とが一致することを条件に、ユーザによる画像データ識別情報の指定を有効とする。画像データ指定部１４は、一致しない場合には指定を無効として、操作パネル１０９にエラーメッセージを表示させる。画像データ指定部１４は、ユーザにより有効に指定されたオリジナル画像データ５１の画像データ識別情報を比較部２０に出力する。
【００５１】
画像データ指定部１４は、ユーザ認証部１６により認証されたユーザのユーザ識別情報を含む履歴データを抽出して、抽出した履歴データに含まれる画像データ識別情報を画像データ指定画面に一覧表示するようにしてもよい。これにより、認証されたユーザが過去に読み込ませたオリジナル画像データのみの画像データ識別情報が一覧表示されるので、表示される画像データ識別情報の数が少なくなり、オリジナル画像データを指定し易くなる。
【００５２】
比較部２０は、画像データ指定部１４からオリジナル画像データ５１の画像データ識別情報が入力され、差替画像データ入力部１２から差替画像データが入力される。比較部２０は、画像データ識別情報で特定されるオリジナル画像データ５１を記憶部１０２から読出し、差替画像データとページごとに比較する。そして、比較の結果、類似するページがあれば、オリジナル画像データにおいて差替画像データと類似するとされたページを特定する情報と、それに対応する差替画像データのページを特定する情報と、オリジナル画像データと、差替画像データとを編集部２２に出力する。
【００５３】
編集部２２は、オリジナル画像データの類似するページを、差替画像データの対応するページに置き換える。たとえば、オリジナル画像データが企画書である場合を例に説明すると、承認前の企画書がオリジナル画像データとして画像形成された後、承認されると、企画書の最初のページに押印がされる。押印された最初のページが画像読取部１２０で読み取られて差替画像データが入力されると、オリジナル画像データの最初のページだけが、差替画像データと差替えられる。このため、２ページ以降はオリジナル画像データを画像形成されるので、画質が劣化するのを最小限に抑えることができる。また、企画書の押印された最初のページだけを読み込ませるだけでよいので、読取時間を短くして作業の効率化を図ることができる。
【００５４】
編集部２２は、操作パネル１０９と接続されており、差替画像データのオリジナル画像データと類似しない残りのページに対する処理内容の入力を操作パネル１０９から受付ける。編集部２２は、操作パネル１０９に処理内容を入力するための処理内容指定画面を表示させ、処理内容の指定を受付ける。処理内容は、差替処理と、追加処理とを含む。処理内容に差替処理が指定されると、オリジナル画像データの差替えの対象となるページの指定と、差替画像データの差替えの対象となるページの指定が受付けられる。処理内容に追加処理が指定されると、オリジナル画像データに追加する位置情報（ページ番号とその前後の情報）と、差替画像データの追加の対象となるページの指定とが受付けられる。編集部２２は、操作パネル１０９から入力される処理内容に従って、オリジナル画像データ５１を差替画像データで編集する。そして、編集後のオリジナル画像データ５１を出力画像処理部１０５に出力する。また、編集部２２は、履歴データ５２の編集フラグを「１」に設定する。オリジナル画像データ５１が差替画像データに基づいて編集された履歴を記憶するためである。
【００５５】
履歴データ５２の編集フラグが「０」の場合、その履歴データ５２で特定されるオリジナル画像データは、編集部２２により編集されていないことを示している。警告部１８は、操作パネル１０９に接続され、編集フラグが「０」の履歴データ５２が読み出されて、その履歴データ５２で特定される編集前のオリジナル画像データの画像形成処理が指示された場合に、未だ編集されていないことを示す警告メッセージを操作パネル１０９に出力する。
【００５６】
編集部２２は、オリジナル画像データの類似するページを、差替画像データの対応するページに置き換えるようにしたが、オリジナル画像データの類似するページに、そのページと差替画像データの対応するページとの差分を付加するようにしてもよい。これにより、たとえば、押印された部分が差分として抽出され、押印された部分の画像がオリジナル画像データの類似するページに付加される。これにより、オリジナル画像データの画質が劣化するのを最小限に抑えることができる。
【００５７】
図５は、第１の実施の形態におけるＭＦＰで実行される画像編集処理の流れを示すフローチャートである。図５を参照して、ＭＦＰ１のユーザの認証が行われる（ステップＳ０１）。ユーザ認証されれば、ステップＳ０２へ進み、されなければ待機状態となる。ステップＳ０２では、オリジナル画像データが入力されたか否かが判断される。オリジナル画像データが入力されればステップＳ０３に進み、そうでなければステップＳ０６に進む。
【００５８】
ステップＳ０３では、履歴データが生成される。履歴データは、オリジナル画像データとステップＳ０１で認証されたユーザのユーザ識別情報とを関連付けたデータである。そして、オリジナル画像データと履歴データとが記憶部１０２に記憶される（ステップＳ０４）。その後、オリジナル画像データが出力画像処理部１０５に出力されて、オリジナル画像データが画像形成される（ステップＳ０５）。
【００５９】
ステップＳ０６では、オリジナル画像データが指定されたか否かが判断される。指定されればステップＳ０７に進むが、指定されなければ処理を終了する。ステップＳ０６では、図６に示すオリジナル画像データ指定処理が実行される。
【００６０】
図６は、図５のステップＳ０６で実行されるオリジナル画像データ指定処理の流れを示すフローチャートである。図６を参照して、オリジナル画像データ指定処理では、まず、記憶部１０２に記憶されている履歴データを読み出す（ステップＳ２１）。そして、履歴データに含まれる画像データ識別情報を一覧表示する画像データ指定画面を表示する（ステップＳ２２）。ユーザは、表示された画像データ指定画面に一覧表示された画像データ識別情報のうちからいずれか１つを指定することにより、オリジナル画像データ５１を指定することが可能となる。そして、画像識別情報の指定が受付けられたか否かを判断する（ステップＳ２３）。指定が受付けられた場合には処理を画像編集処理に戻すが、受付けられなければステップＳ２２へ戻る。なお、ステップＳ２２では、ユーザ認証部１６により認証されたユーザのユーザ識別情報を含む履歴データを抽出して、抽出した履歴データに含まれる画像データ識別情報を画像データ指定画面に一覧表示するようにしてもよい。これにより、認証されたユーザが過去に読み込ませたオリジナル画像データのみの画像データ識別情報が一覧表示されるので、表示される画像データ識別情報の数が少なくなり、オリジナル画像データを指定し易くなる。
【００６１】
図５に戻って、ステップＳ０７では、指定されたオリジナル画像データが、ステップＳ０１で認証されたユーザにより記憶されたものか否かが判断される。具体的には、ステップＳ０１で認証されたユーザのユーザ識別情報と、ステップＳ０６で指定されたオリジナル画像データと履歴データによって関連付けられたユーザ識別情報とが一致するか否かが判断される。一致すればステップＳ０８に進み、一致しなければステップＳ２０に進む。ステップＳ２０では、警告メッセージを操作パネル１０９に表示して処理を終了する。これにより、オリジナル画像データが他人によってユーザの知らないうちに画像形成されるのを防止することができる。
【００６２】
ステップＳ０８では、ステップＳ０６で指定されたオリジナル画像データが記憶部１０２より読み出される。そして、差替画像データが入力される（ステップＳ０９）。この差替画像データは、ステップＳ０５においてオリジナル画像データに基づいて画像形成された用紙を含む原稿を、画像読取部１２０で読取って得られる画像データである。
【００６３】
そして、ステップＳ０８で読みだされたオリジナル画像データ５１と、ステップＳ０９で入力された差替画像データとをページごとに比較する（ステップＳ１０）。差替画像データのページが順に処理対象ページとされ、差替画像データの処理対象ページと、オリジナル画像データの全てのページとが比較される。そして、比較の結果、類似するページがあるか否かが判断される（ステップＳ１１）。類似するページがあればステップＳ１２に進み、なければステップＳ１３に進む。ステップＳ１２では、オリジナル画像データの類似するページを、差替画像データの対応するページに差替える。その後、ステップＳ１７に進む。
【００６４】
ステップＳ１３では、操作パネル１０９に処理内容を入力するための処理内容指定画面を出力させる。そして、指定された処理内容が判断され（ステップＳ１４）、処理内容が差替処理であればステップＳ１５に進み、処理内容が追加処理であればステップＳ１６に進む。ステップＳ１５では、オリジナル画像データの差替えの対象となるページの指定と、差替画像データの差替えの対象となるページの指定が受付けられ、指定されたオリジナル画像データのページが、指定された差替画像データのページに差替えられる。その後ステップＳ１７に進む。ステップＳ１６では、オリジナル画像データに追加する位置情報（ページ番号とその前後の情報）と、差替画像データの追加の対象となるページの指定とが受付けられ、指定されたオリジナル画像データの位置に、指定された差替画像データのページが追加（挿入）される。その後、ステップＳ１７に進む。
【００６５】
ステップＳ１７では、差替画像データに未だ処理対象ページとされていないページが存在するか否かが判断され、存在すればステップＳ１０に戻り、存在しなければステップＳ１８に進む。
【００６６】
ステップＳ１８では、ステップＳ０６で指定されたオリジナル画像データの履歴データを更新する。具体的には、履歴データ５２の編集フラグを「１」に設定する。そして、ステップＳ１２、ステップＳ１５またはステップＳ１６で差替えまたは追加されたオリジナル画像データが画像形成部１３０で画像形成される（ステップＳ１９）。
【００６７】
上述した画像編集処理をＰＣ２，２Ａ，２Ｂのいずれかに実行させるようにしてもよい。ここでＰＣ２に実行させる場合について説明すると、図３に示したオリジナル画像データ５１および履歴データ５２は、ＰＣ２に記憶される。また、ユーザ認証部１６、画像データ指定部１４、警告部１８、比較部２０、編集部２２は、ＰＣ２で画像編集処理プログラムが実行されることによりＣＰＵで実現される。ＰＣ２のＣＰＵでは、図５に示した画像編集処理が実行されることになる。ＭＦＰ１のＣＰＵ１０１は、画像データ入力部１０のみを備え、画像読取部１２０により入力されるオリジナル画像データまたは差替画像データは、ネットワークＩ／Ｆ１０７からＰＣ２に送信される。または、オリジナル画像データまたは差替画像データが、ネットワークＩ／Ｆ１０７によりＰＣ２から受信される。操作パネル１０９に表示する画面は、ＰＣ２からネットワークＩ／Ｆ１０７により受信され、操作パネル１０９に入力されるユーザの操作は、ネットワークＩ／Ｆ１０７を介してＰＣ２に送信される。
【００６８】
以上説明したように、第１の実施の形態におけるＭＦＰ１は、オリジナル画像データが画像形成されると、オリジナル画像データと履歴データとを記憶部１０２に記憶する。そして、オリジナル画像データ指定画面でオリジナル画像データが指定される。このため、編集の対象となる画像データを容易に特定することができる。画像形成されたオリジナル画像データの原稿が画像読取部１２０で読み取られると、オリジナル画像データが差替画像データを用いて編集されるので、原稿を読み取らせる操作で編集に用いる画像データを特定することができる。その結果、編集に用いる２つの画像データを容易に特定することができ、画像データを編集することができる。
【００６９】
また、編集処理は、オリジナル画像データのページを差替画像データのページに置き換えるので、オリジナル画像データの一部を、別の画像データにすることができる。
【００７０】
また、編集処理は、オリジナル画像データのページと差替画像データのページとの差分を、オリジナル画像データのページに付加するので、オリジナル画像データの画質が劣化するのを防止することができる。
【００７１】
また、編集処理は、オリジナル画像データに差替画像データのページを追加するので、新たな画像データを追加することができる。
【００７２】
また、差替画像データは、画像形成されたオリジナル画像データの原稿を画像読取部１２０で読み取って出力されるデータなので、オリジナル画像データを押印またはサイン付の画像データに編集することができる。
【００７３】
また、オリジナル画像データのページと差替画像データのページとを比較して、類似するページを差し換えるのでオリジナル画像データのうちから差し換えの対照となるページを自動的に決定することができる。
【００７４】
また、オリジナル画像データと差替画増データとを入力したユーザが一致することを条件に、オリジナル画像データを差替画像データで編集して画像形成するので、オリジナル画像データが他人に勝手に画像形成されることがない。
【００７５】
さらに、履歴データに編集フラグを設け、編集フラグが「０」であり編集されていないオリジナル画像データを画像形成する指示が入力された場合に警告するので、編集されていないオリジナル画像データが誤って出力されるのを防止することができる。
【００７６】
＜第２の実施の形態＞
次に第２の実施の形態における編集システムについて説明する。第２の実施の形態における画像編集システムの全体概要およびＭＦＰの概略構成は、図１および図２に示したのとそれぞれ同じである。ここでは説明を繰り返さない。図７は、第２の実施の形態におけるＭＦＰのＣＰＵの機能を示す機能ブロック図である。図７を参照して、ＣＰＵ１０１は、画像データ入力部１０と、ユーザ認証部１６と、識別情報付加部２４と、識別情報抽出・分離部２６と、編集部２２とを含む。画像データ入力部１０およびユーザ認証部１６は、図３で説明したのと同じなのでここでは説明を繰り返さない。
【００７７】
識別情報付加部２４には、オリジナル画像データ入力部１１からオリジナル画像データが入力される。識別情報付加部２４は、オリジナル画像データのそれぞれのページに、ユニークな識別情報を付加する。ここでは、識別情報を、画像データ識別情報にページ番号を付加した情報としている。識別情報の画像データへの付加には、画像合成処理を用いる。識別情報をバーコードに変換してバーコード画像を生成し、画像データとバーコード画像とを合成するのである。これにより、オリジナル画像データのそれぞれのページに識別情報のバーコードを付した識別情報付画像データが生成される。識別情報付加部２４は、生成した識別情報付画像データを出力画像処理部１０５に出力し、画像形成部１３０に画像形成させる。また、識別情報付加部２４は、オリジナル画像データそれぞれのページに付した識別情報を履歴データ５２に追加する。これにより履歴データ５２は、画像データ識別情報と、各ページの識別情報とを関連付けたデータとされる。
【００７８】
識別情報抽出・分離部２６には、差替画像データ入力部１２から差替画像データが入力される。差替画像データは、オリジナル画像データに基づいて画像形成された用紙を含む原稿を、画像読取部１２０で読取って得られる画像データである。このため、差替画像データには、識別情報のバーコードが含まれているものが含まれる。識別情報抽出・分離部２６は、差替画像データのページごとに識別情報を抽出する。そして、抽出された識別情報を編集部２２に出力する。これにより、編集部２２では、入力される識別情報から記憶部１０２に記憶されているオリジナル画像データを特定して読み出すことができる。また、識別情報は、オリジナル画像データのページごとに付される情報なので、編集部２２では、差替画像データの識別情報が抽出されたページと、オリジナル画像データのいずれかのページとを対応付けることができる。また、識別情報抽出・分離部２６は、差替画像データの識別情報を含むページについて、識別情報とそれ以外の画像とを分離することにより、差替画像データから識別情報を除去する。そして、識別情報を除去した差替画像データを編集部２２に出力する。
【００７９】
編集部２２には、識別情報抽出・分離部２６から識別情報と、識別情報が除去された差替画像データが入力される。編集部２２は、識別情報で特定されるオリジナル画像データ５１を記憶部１０２から読出し、オリジナル画像データ５１の識別情報で特定されるページを、その識別情報が抽出された差替画像データのページに置き換える。差替画像データからは識別情報が除去されているので、置換後のオリジナル画像データは、識別情報を含まない。
【００８０】
なお、編集部２２は、オリジナル画像データのページを、差替画像データの対応するページに置き換えるようにしたが、オリジナル画像データのページに、そのページと差替画像データの対応するページとの差分を付加するようにしてもよい。これにより、オリジナル画像データの画質が劣化するのを最小限に抑えることができる。
【００８１】
また、編集部２２は、操作パネル１０９と接続されており、差替画像データのうち識別情報が抽出されなかったページに対する処理内容の入力を操作パネル１０９から受付ける。編集部２２は、操作パネル１０９に処理内容を入力するための処理内容指定画面を表示させ、処理内容の指定を受付ける。編集部２２は、入力される処理内容に従って、オリジナル画像データ５１を差替画像データで編集する。そして、編集後のオリジナル画像データ５１を出力画像処理部１０５に出力する。また、編集部２２は、履歴データ５２の編集フラグを「１」に設定する。オリジナル画像データ５１が差替画像データに基づいて編集された履歴を記憶するためである。
【００８２】
図８は、第２の実施の形態におけるＭＦＰで実行される画像編集処理の流れを示すフローチャートである。図８を参照して、ＭＦＰ１のユーザの認証が行われる（ステップＳ３１）。ユーザ認証されれば、ステップＳ３２へ進み、されなければ待機状態となる。ステップＳ３２では、画像データが入力されたか否かが判断される。画像データが入力されればステップＳ３３に進み、そうでなければ待機状態となる。
【００８３】
ステップＳ３３では、入力された画像データから識別情報が抽出されるか否かが判断される。画像データにバーコードが含まれていれば、それを検出して解析することにより識別情報が抽出される。識別情報が抽出されなければステップＳ３４に進み、抽出されたならばステップＳ３８に進む。識別情報が抽出される画像データは、差替画像データであると判断してステップＳ３８以降の処理を実行するが、識別情報が抽出されない画像データはオリジナル画像データとしてステップＳ３４以降の処理を実行する。画像データが複数ページ含まれる場合には、少なくとも１つのページに識別情報が含まれていれば、差替画像データとしてステップＳ３８に進む。画像データに追加ページが含まれている場合があるからである。
【００８４】
ステップＳ３４では、履歴データが生成される。履歴データは、オリジナル画像データとステップＳ３１で認証されたユーザのユーザ識別情報とを関連付けたデータである。そして、オリジナル画像データと履歴データとが記憶部１０２に記憶される（ステップＳ３５）。そして、オリジナル画像データにページごとに識別情報が付加される（ステップＳ３６）。識別情報の付加は、オリジナル画像データの各ページに、識別情報のバーコード画像を合成して識別情報付画像データを生成する。また、オリジナル画像データのページごとに付加された識別情報の全てが、履歴データに追加される。これにより、履歴データは、画像データ識別情報と、ページごとに付加された識別情報とを関連付けたデータとなる。このため、履歴データを用いて識別情報からオリジナル画像データを特定することができる。その後、識別情報付画像データが出力画像処理部１０５に出力されて、識別情報が付加されたオリジナル画像データが画像形成される（ステップＳ３７）。
【００８５】
ステップＳ３８では、差替画像データの入力を指示したユーザが、オリジナル画像データの入力を指示したユーザと一致するか否かが判断される。具体的には、ステップＳ３３で抽出された識別情報を含む履歴データが記憶部１０２から抽出され、その履歴データに含まれるユーザ識別情報が検出される。このユーザ識別情報は、オリジナル画像データの入力を指示したユーザのユーザ識別情報である。ステップＳ３１で入力されたユーザ識別情報は、差替画像データの入力を指示したユーザのユーザ識別情報である。ステップＳ３８では、両ユーザ識別情報が一致すれば、ステップＳ３９に進み、一致しなければステップＳ５０に進む。ステップＳ５０では、警告メッセージを操作パネル１０９に表示して処理を終了する。これにより、オリジナル画像データが他人によってユーザの知らないうちに画像形成されるのを防止することができる。
【００８６】
ステップＳ３９では、オリジナル画像データが記憶部１０２から読み出される。ここで読み出されるオリジナル画像データは、ステップＳ３３で抽出された識別情報が付与されたページを含むオリジナル画像データである。オリジナル画像データは、ステップＳ３３で抽出された識別情報を含む履歴データが記憶部１０２から抽出され、その履歴データに含まれる画像識別情報で特定される。
【００８７】
ステップＳ４０では、差替画像データのページからオリジナル画像データの対応するページが特定されるか否かが判断される。差替画像データの処理対象ページに識別情報が含まれる場合にステップＳ４１に進み、識別情報が含まれなければステップＳ４３に進む。ステップＳ４１では、差替画増データの処理対象ページから識別情報を分離する。そして、オリジナル画像データの分離した識別情報で特定されるページを、差替画増データの処理対象ページと置き換える差替処理を実行する。そして、ステップＳ４７に進む。
【００８８】
一方、ステップＳ４３では、操作パネル１０９に処理内容を入力するための処理内容指定画面を出力させる。そして、指定された処理内容が判断され（ステップＳ４４）、処理内容が差替処理であればステップＳ４５に進み、処理内容が追加処理であればステップＳ４６に進む。ステップＳ４５では、オリジナル画像データの差替えの対象となるページの指定と、差替画像データの差替えの対象となるページの指定が受付けられ、指定されたオリジナル画像データのページが、指定された差替画像データのページに差替えられる。その後ステップＳ４７に進む。ステップＳ４６では、オリジナル画像データに追加する位置情報（ページ番号とその前後の情報）と、差替画像データの追加の対象となるページの指定とが受付けられ、指定されたオリジナル画像データの位置に、指定された差替画像データのページが追加（挿入）される。その後、ステップＳ４７に進む。
【００８９】
ステップＳ４７では、差替画像データで処理対象とされていないページが存在するか否かが判断され、存在すればステップＳ４０に戻り、存在しなければステップＳ４８に進む。
【００９０】
ステップＳ４８では、ステップＳ３９で読み出されたオリジナル画像データの履歴データを更新する。具体的には、履歴データ５２の編集フラグを「１」に設定する。履歴データ５２の編集フラグが「０」の場合、その履歴データ５２で特定されるオリジナル画像データは、編集部２２により編集されていないことを示している。このため、編集フラグが「０」の履歴データ５２が読み出されて、その履歴データ５２で特定される編集前のオリジナル画像データの画像形成処理が指示された場合に、未だ編集されていないことを示す警告メッセージを操作パネル１０９に出力することができる。
【００９１】
そして、ステップＳ４２、ステップＳ４５またはステップＳ４６で差替処理または追加処理が実行されたオリジナル画像データが画像形成部１３０で画像形成される（ステップＳ４９）。
【００９２】
上述した画像編集処理をＰＣ２，２Ａ，２Ｂのいずれかに実行させるようにしてもよい。ここでＰＣ２に実行させる場合について説明すると、図７に示したオリジナル画像データ５１および履歴データ５２は、ＰＣ２に記憶される。また、ユーザ認証部１６、識別情報付加部２４、識別情報抽出。分離部２６および編集部２２は、ＰＣ２で画像編集処理プログラムが実行されることによりＣＰＵで実現される。ＰＣ２のＣＰＵでは、図８に示した画像編集処理が実行されることになる。ＭＦＰ１のＣＰＵ１０１は、画像データ入力部１０のみを備え、画像読取部１２０により入力されるオリジナル画像データまたは差替画像データは、ネットワークＩ／Ｆ１０７からＰＣ２に送信される。または、オリジナル画像データまたは差替画像データが、ネットワークＩ／Ｆ１０７によりＰＣ２から受信される。操作パネル１０９に表示する画面は、ＰＣ２からネットワークＩ／Ｆ１０７により受信され、操作パネル１０９に入力されるユーザの操作は、ネットワークＩ／Ｆ１０７を介してＰＣ２に送信される。
【００９３】
以上説明したように第２の実施の形態におけるＭＦＰ１では、オリジナル画像データの各ページを、ページごとに付与された識別情報と合成した識別情報付画像データを画像形成する。識別情報付画像データを画像形成した用紙を読み取って得られる差替画像データから識別情報が抽出されるので、原稿を読み取らせるだけでオリジナル画像データの差替えの対象となるページを抽出することができる。その結果、編集対象となる画像データが複数ページの場合であっても編集の対象となるページを容易に特定することができ、画像データを編集することができる。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】本発明の実施の形態の一つにおける画像編集システムの全体概要を示す図である。
【図２】本実施の形態におけるＭＦＰの概略構成を示すブロック図である。
【図３】第１の実施の形態におけるＭＦＰのＣＰＵの機能を示す機能ブロック図である。
【図４】履歴データのフォーマットの一例を示す図である。
【図５】第１の実施の形態におけるＭＦＰで実行される画像編集処理の流れを示すフローチャートである。
【図６】図５のステップＳ０６で実行されるオリジナル画像データ指定処理の流れを示すフローチャートである。
【図７】第２の実施の形態におけるＭＦＰのＣＰＵの機能を示す機能ブロック図である。
【図８】第２の実施の形態におけるＭＦＰで実行される画像編集処理の流れを示すフローチャートである。
【符号の説明】
【００９６】
１  画像編集システム、２，２Ａ，２Ｂ  ＰＣ、３  ネットワーク、１０  画像データ入力部、１１  オリジナル画像データ入力部、１２  差替画像データ入力部、１４  画像データ指定部、１６  ユーザ認証部、１８  警告部、２０  比較部、２２  編集部、２４  識別情報付加部、２６  識別情報抽出・分離部、５１  オリジナル画像データ、５２  履歴データ、１００  制御部、１０２  記憶部、１０４  入力画像処理部、１０５  出力画像処理部、１０８  モデム、１０９  操作パネル、１０９Ａ  入力部、１０９Ｂ  表示部、１１０Ａ  ＩＣカード、１１３  電話回線、１２０  画像読取部、１３０  画像形成部、１０７  ネットワークＩ／Ｆ、１１０  カードＩ／Ｆ。
【図１】
2007036406.tif 000003
【図２】
2007036406.tif 000004
【図３】
2007036406.tif 000005
【図４】
2007036406.tif 000006
【図５】
2007036406.tif 000007
【図６】
2007036406.tif 000008
【図７】
2007036406.tif 000009
【図８】
2007036406.tif 000010